(57)【特許請求の範囲】
【請求項１】
底板（１４）と、前記底板（１４）の周囲から上方に延びる側板（１２）とを備える通い容器（１０）において、前記底板（１４）の上面は、滑り止め機能を有し、前記底板（１４）の上面は、中央領域（１６）と、該中央領域（１６）の外周から前記側板（１２）に向けて上方に傾斜する傾斜面（１８）とを備えており、
前記底板（１４）の上面に置かれた、ケース（２２）に入れられた物品（２４）又はカバーが施された物品が当該通い容器の移動中に前記ケース又は前記カバーから飛び出すことを前記傾斜面（１８）により抑制するよう構成されていることを特徴とする、通い容器。
【請求項２】
底板（１４’）と、前記底板（１４’）の周囲から上方に延びる側板（１２’）とを備える通い容器（１０’）に用いられる中敷き（１００）において、当該中敷き（１００）の上面は、滑り止め機能を有し、当該中敷き（１００）の上面は、中央領域と、該中央領域の外周から外方に向けて上方に傾斜する傾斜面（１１８）とを備えており、
当該中敷き（１００）の上面に置かれた、ケース（２２）に入れられた物品（２４）又はカバーが施された物品が前記通い容器（１０’）の移動中に前記ケース又は前記カバーから飛び出すことを前記傾斜面（１１８）により抑制するよう構成されていることを特徴とする、通い容器用の中敷き。
【発明の詳細な説明】
【技術分野】
【０００１】
本発明は、書籍等を収納して搬送するための通い容器の底部構造、又は、通常の通い容器に用いられる中敷きに関するものである。
【背景技術】
【０００２】
近年、書籍関係の物流システムでは、合成樹脂製の通い容器に注文の書籍を入れて搬送する形態が一般的となってきている。また、効率化の面から、通い容器の搬送の高速化が進んでいる。
【０００３】
このような環境下においては、書籍が通い容器の中で搬送中に大きく移動して、書籍の角や背、小口を通い容器の側板に当て、当該部分を痛める可能性がある。そこで、従来においては、通い容器の底部に滑り止め用の樹脂をコーティングしたり、滑り止めマットを中敷きとして通い容器の底部に配したりしている。
【０００４】
しかしながら、書籍がケースに入れられている場合等には、通い容器の底部に滑り止めがあると、通い容器の急停止時やカーブ時に、ケースが動かないため、書籍がケースから飛び出して通い容器の側板に当たる恐れがある。これは、書籍にカバーが施されている場合も同様である。
【発明の概要】
【発明が解決しようとする課題】
【０００５】
本発明は、かかる事情に鑑みてなされたものであり、その目的は、書籍等の搬送物の滑りを防止すると共に、ケースやカバーから中の搬送物が飛び出さないようにすることができる通い容器、及び、通い容器の中敷きを提供することにある。
【課題を解決するための手段】
【０００６】
上記目的を達成するために、本発明は、底板（１４）と、底板（１４）の周囲から上方に延びる側板（１２）とを備える通い容器（１０）において、底板（１４）の上面は、滑り止め機能を有し、また、底板（１４）の上面は、中央領域（１６）と、該中央領域（１６）の周縁から外方に向けて、すなわち側板に向けて上方に傾斜する傾斜面（１８）とを備えることを特徴としている。
【０００７】
このように、本発明によれば、底板（１４）の上面に滑り止め機能を持たせることで、書籍等の搬送物の滑動を防止することができる。また、搬送物がケースに入っており、そのケースから容易に搬送物が出てしまうように場合においても、傾斜面（１８）が設けられていることで、ケースから飛び出した搬送物がその傾斜面（１８）で止められ、通い容器の側板に搬送物が強く衝突して損傷することを防止することができる。
【０００８】
なお、本発明の他の態様は、既存の通い容器にも適用可能な中敷きに関するものである。すなわち、底板（１４’）と、底板（１４’）の周囲から上方に延びる側板（１２’）とを備える通い容器（１０’）に用いられる中敷き（１００）において、当該中敷き（１００）の上面は、滑り止め機能を有すると共に、中央領域と、該中央領域の外周から外方に向けて上方に傾斜する傾斜面（１１８）とを備えることを特徴としている。
【発明の効果】
【０００９】
本発明によれば、書籍等の搬送物の損傷を効果的に防止することができる。
【図面の簡単な説明】
【００１０】
【図１】本発明による通い容器の一部切欠き斜視図である。
【図２】図１のII−II線に沿っての、本発明による通い容器の縦断面図である。
【図３】図１の通い容器の作用を説明するための概略断面部分図である。
【図４】本発明による通い容器の別の実施形態を示す縦断面図である。
【図５】本発明による通い容器の更に他の実施形態を示す縦断面図である。
【図６】本発明による中敷きを示す縦断面図である。
【発明を実施するための形態】
【００１１】
以下、本発明の好適な実施形態について図面を参照して詳細に説明する。なお、
全図において同一又は相当部分には同一符号を付し、重複した説明を省略することとする。
【００１２】
図１は、本発明による書籍用の通い容器１０を、その側板１２の一つを省いて示す斜視図である。また、図２は図１の通い容器１０の縦断面図である。図示の通い容器１０は、好ましくは合成樹脂からなる一体成形物であり、矩形の底板１４と、底板１４の各辺から垂直に延びる側板１２とから構成されている。
【００１３】
底板１４の形状は、図１及び図２から理解されるように、中央領域１６が矩形の平面となっている。この矩形の中央領域１６の各辺は、通い容器１０の対応の側板１２と実質的に平行となっている。また、矩形の中央領域１６の各辺からは、対応の側板１２に向けて、上方に傾斜する平坦な傾斜面１８が延びている。
【００１４】
このような底板１４の上面は、書籍の滑動を防止するための滑り止め面となっている。滑り止め面としては、所定の材料を底板１４の上面にコーティングしたものの他、所定の材料からなるシートを底板１４上に敷いたり貼着したりしたもの等が考えられる。図２は、シート２０を貼着した形態を示している。なお、通い容器１０自体の合成樹脂が、書籍に対して滑り止めの機能を有するものであれば、底板１４の上面そのものが滑り止め面となることは勿論である。
【００１５】
滑り止め用のコーティングやシートとして適当な材料としては、天然ゴム、合成ゴム、ボリ塩化ビニル、ウレタンフォーム、スポンジ等が考えられる。これらは、書籍（カバーやケースを含む）の表面に対して高摩擦係数を有すると共に、ある程度の弾性を有するため、書籍に対する緩衝材としても機能する。
【００１６】
また、滑り止め面は、平坦であってもよいが、エンボス加工等により細かい凹凸が付けられたものや、多数の小突起を形成したものであってもよい。凹凸や小突起に書籍のエッジが引っかかり、滑り止めになるのと同時に、凸部（小突起）が弾性的に湾曲することで、書籍の当接時に緩衝材となり、書籍の破損を防止することができるからである。
【００１７】
次に、このような構成の通い容器１０の作用について説明する。
【００１８】
まず、図３の実線で示すように、通い容器１０の底板１４上にケース２２入りの書籍２４を置き、ケース２２の開口している側（図３の矢印Ａ方向）に通い容器１０を移動させる。そして、その通い容器１０を急停止させると、底板１４の上面の滑り止め面１８（２０）によって書籍２４、すなわちこの場合はケース２２の滑動は防止される。しかしながら、慣性によりケース２２の内部の書籍２４本体はケース２２の開口から飛び出そうとする（図３の矢印Ｂ参照）。この際、ケース２２の開口の正面には傾斜面１８（２０）があるため、ケース２２の開口から飛び出した書籍２４は傾斜面１８（２０）に接し、図３の二点鎖線で示すようにその動きが停止される。また、完全に停止することがなくとも、書籍２４の移動速度は大幅に減速される。その結果、書籍２４が通い容器１０の側板１２に強く衝突することはなく、書籍２４が損傷することが防止される。カバーが付けられた書籍でも同様である。
【００１９】
書籍２４がケース２２やカバーから出ようとするのは、通い容器１０が搬送中にカーブする場合や、通い容器１０が斜めとされた場合等であるが、このような場合にもケース２２やカバーからの書籍２４の突出量は傾斜面１８（２０）により抑制されるため、書籍２４の損傷は防止される。
【００２０】
なお、傾斜面１８の傾斜角度は適宜定められるものであるが、傾斜面１８によって書籍２４の動きを抑えるためには、その傾斜角度は水平面に対して４〜１０度程度が好ましい。角度が大きい場合には、傾斜面１８に書籍２４が接した際の衝撃が大きくなり、角度が小さい場合には、書籍２４が傾斜面１８を滑って進む可能性があるからである。
【００２１】
また、中央領域１６の寸法も適宜定められるが、取り扱う最小の書籍の大きさ程度とするのがよい。中央領域１６が最小の書籍よりも相当に大きい場合には、中央領域１６内で書籍が大きく移動し、そのまま傾斜面１８を滑り上がっていく可能性があるからである。
【００２２】
上述したように、本発明による通い容器１０の好適な実施形態について説明したが、種々の変形が可能であることは容易に理解されよう。例えば、上記実施形態では、傾斜面１８は平坦な面としているが、湾曲面であってもよい。これに関連し、図４に示すように、中央領域という区分けをなくし、全体を球面とした形状としても同様な作用効果を奏する。すなわち、本発明は、通い容器１０の底板１４の上面が、少なくとも１カ所が凹むよう傾斜面１８を形成したことを特徴とするものである。なお、「少なくとも１カ所」としたのは、図５に示すように、通い容器１０の内部に２冊異状の書籍２４を並べて置くような場合を考慮したものである。
【００２３】
また、上記実施形態は、通い容器１０の底板１４に傾斜面を形成したものであるが、既存の通い容器に本発明の概念を適用するために、図６に示すような傾斜面１１８を有する中敷き１００を既存の通い容器１０’の底板１４’上に置いてもよいことは容易に理解されよう。なお、この中敷き１００の構成は、図１及び図２に示す通い容器１０の底板１４に準ずるものであるが、図４又は図５に示す通い容器の底板と同様な構成、その他の形状とすることができる。また、中敷き１００全体を合成ゴムポリ塩化ビニル等から形成してもよい。
【００２４】
更に、本発明による通い容器１０及び中敷き１００は書籍用に限定されないことも言うまでもない。例えば、筒状のケースに入れられた菓子折等の他の物品用のものであってもよい。
【符号の説明】
【００２５】
１０…通い容器、１２，１２’…側板、１４，１４’…底板、１６…中央領域、１８…傾斜面、２０…シート、２２…ケース、２４…書籍、１００…中敷き
【図１】
0005555503.tif 000002
【図２】
0005555503.tif 000003
【図３】
0005555503.tif 000004
【図４】
0005555503.tif 000005
【図５】
0005555503.tif 000006
【図６】
0005555503.tif 000007